(57)【要約】【課題】いわゆるいわゆる原稿流し読み方式の原稿送り装置において、原稿読取り位置における原稿の浮きを防止すると同時に、搬送されてきた原稿を原稿読取り位置に案内するガイド板の曲げ強度を高くする。【解決手段】ガイド板６の、原稿読取り位置における原稿搬送領域に、原稿読取り面側に突き出るように、原稿搬送方向に対して交わる方向に突条６３を形成するとともに、原稿読取り位置における非原稿搬送領域に平面部６４を形成する。ここで、原稿Ｐの浮きをより確実に防止する観点から、突条６３の長手方向に直交する方向の断面形状を台形状とするのが好ましい。【選択図】図３
2008211445.tif 000002
【特許請求の範囲】
【請求項１】
原稿読取り面と、この原稿読取り面に対して離隔対向して設けられたガイド板との隙間に原稿を通過させて、固定された画像読み取り機構によって原稿画像を読み取らせる原稿送り装置において、
前記ガイド板の、原稿読取り位置における原稿搬送領域に、原稿読取り面側に突き出るように、原稿搬送方向に対して交わる方向に突条を形成するとともに、原稿読取り位置における非原稿搬送領域に平面部を形成することを特徴とする原稿送り装置。
【請求項２】
前記突条の長手方向に直交する方向の断面形状が台形状である請求項１記載の原稿送り装置。
【請求項３】
前記平面部に、原稿読取り面に当接する突起を形成して、原稿読取り位置における原稿読取り面とガイド板との隙間の間隔を決めるようにした請求項１又は２記載の原稿送り装置。
【請求項４】
前記原稿読取り面と前記ガイド板との隙間が、原稿読取り位置が最も狭く、原稿読取り位置より原稿搬送方向上流側に行くにしたがって徐々に広くなる請求項１〜３のいずれかに記載の原稿送り装置。
【請求項５】
前記原稿読取り面と前記ガイド板との隙間が、原稿読取り位置が最も狭く、原稿読取り位置より原稿搬送方向下流側に行くにしたがって徐々に広くなる請求項１〜４のいずれかに記載の原稿送り装置。
【発明の詳細な説明】
【技術分野】
【０００１】
本発明は原稿送り装置に関し、より詳細には原稿読取り面と、この原稿読取り面に対して離隔対向して設けられたガイド板との隙間を原稿を通過させて、固定された画像読み取り機構によって原稿画像を読み取らせる原稿送り装置に関するものである。
【背景技術】
【０００２】
デジタル複写機やファクシミリ、スキャナなどの画像読取り装置に内蔵されている画像読取り装置の多くは、光源から放射された光を原稿に照射し、その反射光をＣＣＤ（Charge Coupled Device）などのイメージセンサによって検出して原稿画像を読みとるものである。
【０００３】
また上記画像読取り装置には、原稿送り装置が付設されている場合がある。原稿送り装置としては、搬送されてくる原稿を、固定した画像読み取り機構で読み取る（いわゆる原稿流し読み）装置が近年一般的に使用されている。
【０００４】
図５に、従来の原稿送り装置における原稿読取り部の概説図を示す。この図の原稿送り装置では、コンタクトガラスＣ1の上面（原稿読取り面）に対し離隔対向してガイド板６’が設けられている。そしてコンタクトガラスＣ1の上面とガイド板６’とは略平行な平面となっている。このような構成の原稿送り装置において、コンタクトガラスＣ1とガイド板６’との隙間を原稿Ｐが通過することによって、原稿画像がイメージセンサなどの画像読取り装置（不図示）に読み込まれる。なおコンタクトガラスＣ1の下面下には不図示の画像読み取り機構が配設されている。
【０００５】
読取り画像の解像度を上げるには、前記隙間を狭くしてコンタクトガラスＣ1の上面（原稿読取り面）に原稿Ｐを密着させればよいが、種々の厚さを有する原稿Ｐを円滑に読み取らせるには、搬送される原稿Ｐの最大厚みを考慮して前記隙間を決定する必要がある。加えて一般に、原稿送り装置の原稿搬送経路は原稿読取り位置を最下点としたＵ字状であるため、前記隙間を、搬送される原稿Ｐの最大厚みに設定すると、Ｕ字状の搬送経路で曲げられた原稿Ｐがガイド板６’で擦れて大きな負荷が原稿にかかり異常画像や原稿詰まりが発生するおそれがある。このため前記隙間一般に、搬送される原稿Ｐの最大厚み以上に設定されていた。
【０００６】
このような、搬送される原稿の最大厚み以上に広く設定された隙間に普通紙の原稿を通過させた場合、原稿が浮くという不具合が生じる。原稿読取り位置において原稿が浮くと、画像の解像度が低下して画像ぶれが生じ、またカラー画像の場合には色ずれが生じる。
【０００７】
そこで例えば特許文献１では、原稿読取り位置におけるガイド板に、断面が山形形状の突条を形成して、原稿読取り位置で原稿をコンタクトガラスに押しつけて原稿を浮きを防止し、読み取り画像の解像度の向上を図る技術が提案されている。
【特許文献１】特開平７−１７２６１８号公報
【発明の開示】
【発明が解決しようとする課題】
【０００８】
しかしながら、前記提案技術では、ガイド板の幅方向全体にわたって突条が形成されているため、曲げ強度が低く、例えば製造工程等においてガイド板が変形するおそれがあった。
【０００９】
本発明はこのような従来の問題に鑑みてなされたものであり、その目的とするところは、いわゆるいわゆる原稿流し読み方式の原稿送り装置において、原稿読取り位置における原稿の浮きを防止すると同時に、搬送されてきた原稿を原稿読取り位置に案内するガイド板の曲げ強度を高くした原稿送り装置を提供することにある。
【課題を解決するための手段】
【００１０】
本発明によれば、原稿読取り面と、この原稿読取り面に対して離隔対向して設けられたガイド板との隙間に原稿を通過させて、固定された画像読み取り機構によって原稿画像を読み取らせる原稿送り装置において、前記ガイド板の、原稿読取り位置における原稿搬送領域に、原稿読取り面側に突き出るように、原稿搬送方向に対して交わる方向に突条を形成するとともに、原稿読取り位置における非原稿搬送領域に平面部を形成することを特徴とする原稿送り装置が提供される。なお、本明細書において「原稿搬送領域」とは、原稿送り装置において搬送可能な最大原稿幅を意味するものとする。
【００１１】
ここで、原稿の浮きをより確実に防止する観点から、前記突条の長手方向に直交する方向の断面形状を台形状とするのが好ましい。
【００１２】
また原稿読取り面とガイド板との隙間を精密に制御する観点から、前記平面部に、原稿読取り面に当接する突起を形成して、前記隙間の間隔を決めるようにするのが望ましい。
【００１３】
原稿画像の読取り精度を上げると同時に、原稿を円滑に搬送する観点から、前記原稿読取り面と前記ガイド板との隙間を、原稿読取り位置が最も狭く、原稿読取り位置より原稿搬送方向上流側に行くにしたがって徐々に広くなるようにするのがよく、さらには原稿読取り位置より原稿搬送方向下流側に行くにしたがって徐々に広くなるようにするのがよい。
【発明の効果】
【００１４】
本発明の原稿送り装置では、前記ガイド板の、原稿読取り位置における原稿搬送領域に、原稿読取り面側に突き出るように、原稿搬送方向に対して交わる方向に突条を形成したので、かかる突条によって原稿の浮きが効果的に防止される。また原稿読取り位置における非原稿搬送領域に平面部を形成したので、ガイド板の曲げ強度が格段に高くなった。
【００１５】
前記突条の長手方向に直交する方向の断面形状を台形状とすると、原稿の浮きをより確実に防止できるようになる。
【００１６】
また前記平面部に、原稿読取り面に当接する突起を形成して、前記隙間の間隔を決めるようにすると、原稿読取り面とガイド板との隙間を精密に制御できるようになる。
【００１７】
前記原稿読取り面と前記ガイド板との隙間を、原稿読取り位置が最も狭く、原稿読取り位置より原稿搬送方向上流側に行くにしたがって徐々に広くなるようにする、さらには原稿読取り位置より原稿搬送方向下流側に行くにしたがって徐々に広くなるようにすると、原稿画像の読取り精度が向上すると同時に、より円滑に原稿が搬送されるようになる。
【発明を実施するための最良の形態】
【００１８】
以下、本発明に係る原稿送り装置について図に基づいて説明するが、本発明はこれらの実施形態に何ら限定されるものではない。
【００１９】
図１に、本発明に係る原稿送り装置の一実施形態を示す概説図を示す。図１の原稿送り装置は、画像形成装置である複写機の上面に装着された状態の図である。複写機上面には第１コンタクトガラスＣ1と第２コンタクトガラスＣ2とが取り付けられている。第１コンタクトガラスＣ1は原稿送り装置を用いて原稿を読み取るときに用いられ、第２コンタクトガラスＣ2は原稿送り装置を用いずに原稿を読み取るときに用いられる。
【００２０】
一方、原稿送り装置のハウジングＨには、複数枚の原稿Ｐを積載する給紙トレイ５１と、給紙トレイ５１から繰り出され、原稿読取り部でその内容が読み取られた原稿Ｐを排出する排出トレイ５２が上下方向に並設されている。一方、ハウジング内の構成は給紙手段１と搬送部２、スイッチバック部３、排出部４と大別される。給紙手段１は、給紙トレイ５１に積載された原稿Ｐを引き出すピックアップローラ１７と、引き出された原稿Ｐを一枚ずつ分離して送り出す給紙ローラ１１と、分離パッド１２と、分離パッド１２を保持するパッドホルダ１３とからなる。そして、分離パッド１２の搬送方向下流側の搬送路にガイド１６が形成されている。
【００２１】
搬送部２は、回転自在の大径のフィードローラ２１と、その外周面に圧接するレジストローラ２２とすくい上げローラ２３とからなる。レジストローラ２２とすくい上げローラ２３との間の、第１コンタクトガラスＣ1の下方に画像読み取り機構７が備えられている。画像読み取り機構７は、光源７１と、複数のミラー７２，７３，・・・と、イメージセンサ（不図示）とを備える。光源から放射された光は、第１コンタクトガラスＣ1を透過して原稿の画像形成面を照射する。原稿に照射した光のうち、画像部分に照射した光は吸収され、非画像部分に照射した光は反射する。そして反射した光は第１コンタクトガラスＣ1を再び透過しミラー７２，７３で反射して進行方向を変えて不図示のイメージセンサに入射し、原稿画像として読み取られる。なお、フィードローラ２１が矢印の方向に回転することによってレジストローラ２２とすくい上げローラ２３とが従動する。
【００２２】
スイッチバック部３は、切り換え部材３１とスイッチバックローラ対３２とからなる。原稿の片面読み取りの場合には切り換え部材３１は実線位置にあり、スイッチバックローラ対方向への搬送路を塞ぐ一方、排紙方向の搬送路を解放する。これにより、画像が読み取られた原稿Ｐはすくい上げローラ２３を経て排紙ローラ対４１へ導かれる。他方、原稿の両面読み取りの場合には切り換え部材３１は軸３１ａを中心に反時計方向に図の破線位置に揺動し、排紙ローラ対方向への搬送路を塞ぐ一方、スイッチバックローラ対方向への搬送路を解放する。これにより、片側面の画像が読み取られた原稿Ｐは、スイッチバックローラ対３２へ搬送される。原稿Ｐは、スイッチバックローラ対３２で図の右方へ送り出される。そして、原稿の後端部がスイッチバックローラ対３２で挟持された時に、スイッチバックローラ対３２が逆回転し、フィードローラ２１へ原稿Ｐは送り出される。フィードローラ２１によって再び矢印方向に回転搬送された原稿Ｐは、原稿読取り部を通過し、前回と反対面の原稿画像が読み取られる。ここで、この状態のまま原稿Ｐを排出してもよいが、このまま排出すると原稿の表裏が元の状態と反対となっているので、再びスイッチバックローラ対３２を用いて原稿をフィードローラ２１で回転搬送させて、原稿の表裏を元の状態に戻してから排出する。
【００２３】
排出部４は排出ローラ対４１からなる。フィードローラ２１とすくい上げローラ２３とに挟持搬送された原稿Ｐは、図の実線位置にある切り換え部材３１によって、排出ローラ対方向の搬送路へ導かれ、排出ローラ対４１によって排出トレイ５２に排出される。
【００２４】
図２に、原稿読取り部の拡大断面図を示す。第１コンタクトガラスＣ1の上面（原稿読取り面）に離隔対向してガイド板６が設けられている。ガイド板６は、突条６３が形成された底面部６１と、底面部６１の両側から上方に向かって所定角度で延出する傾斜部６２ａ，６２ｂとが一体に成形されてなる。第１コンタクトガラスＣ1とガイド板６との隙間は、突条６３が形成された原稿読取り位置が最も狭く、原稿読取り位置より原稿搬送方向上流側および下流側に行くにしたがって広くなっている。これにより、原稿読取り部に搬送されてきた原稿は、原稿読取り位置に円滑に搬入・搬出されるようになる。
【００２５】
そして、第１コンタクトガラスＣ1とガイド板６との隙間を原稿Ｐが通過する際に、前述の画像読み取り機構７（図１に図示）によって原稿Ｐの表面に形成された原稿画像が読み取られる。本発明の原稿送り装置において重要な構成の一つは、ガイド板６の、原稿読取り位置における原稿搬送領域に突条６３を設けていることにある。これによって、原稿読取り位置における第１コンタクトガラスＣ1とガイド板６との隙間が狭くなり、原稿Ｐを読み取る際の原稿Ｐの浮きが効果的に防止されるようになる。
【００２６】
図２に示す突条６３はガイド板本体と一体に形成しているが、突条６３を別体に作製した後、ガイド板本体に固着しても構わない。生産性や強度などの点で、突条６３はガイド板本体と一体に形成するのが好ましい。突条６３の高さに特に限定はないが、原稿読取り位置の原稿搬送方向前・後位置での隙間を例えば０．８ｍｍとした場合、突条６３の高さは０．３ｍｍ程度、すなわち原稿読取り位置での隙間は０．５ｍｍ程度とするのが実用的である。
【００２７】
図３に、図２で使用するガイド部材６の斜め下から見た斜視図を示す。この図のガイド板６は、細板状の底面部６１と、底面部６１の長手側両辺から上方に向かって所定角度で延出した傾斜部６２ａ，６２ｂとを有する。傾斜部６２ａ，６２ｂには長手方向に所定間隔で複数の切り込み６６が形成され、切り込み間の傾斜部には複数の凸起６７が形成されている。これらの凸起６７は、原稿読取り位置に原稿Ｐが搬送される時および原稿読取り位置から原稿Ｐが排出される時に、原稿Ｐの前端部および後端部がバタつかないようにするためのものである。これらの凸起の形状および個数、高さなどは原稿搬送路の形状や幅などから適宜決定すればよい。
【００２８】
底面部６１の長手方向の原稿搬送領域には前述の突条６３が形成されている。そして突条６３の長手方向両側の非原稿搬送領域には平面部６４が形成されている。底面部６１の長手方向のすべてにわたって突条を形成していた従来のガイド板に比べて、本発明で使用するガイド板６は、突条６３の長手方向両側に平面部６４を設けているので、短手方向からの曲げ応力にも十分に耐えることができる。平面部６４の広さに特に限定はなく数ｃｍ2程度で十分である。
【００２９】
また、底面部６１に設けられた平面部６４には一対の突起６５ａ，６５ｂが形成されている。この一対の突起６５ａ，６５ｂが、原稿送り装置にガイド部材６を取り付けたときに第１コンタクトガラスＣ1に当接し、ガイド部材６と第１コンタクトガラスＣ1との隙間の間隔が決められる。この突起６５ａ，６５ｂの高さを例えば０．８ｍｍとしておけば、装置の組み立て誤差等の影響を受けず、前記隙間の間隔を０．８ｍｍとすることができる。もちろん隙間形成用の突起は第１コンタクトガラスＣ1の側に形成してもよいが、成形の容易性の点からガイド部材６に突起を形成するのが望ましい。突起はガイド板６と一体に成形してもよいし、別体に作製した後ガイド板６に固着してもよい。
【００３０】
本発明で使用するガイド板６に形成する突条６３の断面形状は、図２に示す台形形状のほか、図４に示すような円形状（同図（ａ））や三角形状（同図（ｂ））であっても構わない。
【図面の簡単な説明】
【００３１】
【図１】本発明の原稿送り装置の一例を示す概説図である。
【図２】図１の原稿送り装置の原稿読み取り部の拡大図である。
【図３】本発明で使用するガイド板の一例を示す斜視図である。
【図４】本発明で使用するガイド板の他の例を示す断面図である。
【図５】従来の原稿送り装置の原稿読み取り部を示す拡大図である。
【符号の説明】
【００３２】
６    ガイド板
７    画像読み取り機構
Ｃ1    第１コンタクトガラス
Ｐ    原稿
６３    突条
６４    平面部
６５ａ，６５ｂ    突起
【図１】
2008211445.tif 000003
【図２】
2008211445.tif 000004
【図３】
2008211445.tif 000005
【図４】
2008211445.tif 000006
【図５】
2008211445.tif 000007